【手続補正書】
【提出日】平成17年7月6日(2005.7.6)
【手続補正１】
【補正対象書類名】特許請求の範囲
【補正対象項目名】全文
【補正方法】変更
【補正の内容】
【特許請求の範囲】
【請求項１】
モジュラ型通信用ジャックであって、
ａ．オープンキャビティと、内部チャンバとを含むハウジングであって、該オープンキャビティと該内部チャンバとは隔離されている、ハウジングと、
ｂ．前記オープンキャビティ内に配置されている複数の電気的コンタクトを有する接続ポートと、
ｃ．通常の電気的な通信が可能なように該内部チャンバ内に離間した関係で配置されており、かつ、該接続ポートの該電気的コンタクトと電気的な通信が可能である少なくとも２つの回路基板と
を備え、
該回路基板の各々が対向する側部を有し、電気回路部品が、該回路基板上と、該回路基板のうちの少なくとも１つの該対向する側部の各々の上とに配置されている、モジュラ型通信用ジャック。
【請求項２】
通常の電気的な通信が可能なように、かつ、前記内部チャンバ内に離間した関係で配置されている少なくとも３つの前記回路基板をさらに備え、該回路基板が前記接続ポートの前記電気的コンタクトと電気的な通信が可能である、請求項１に記載のモジュラ型通信用ジャック。
【請求項３】
前記少なくとも３つの回路基板の第１および第２の回路基板が略水平な平行関係に配置されており、前記少なくとも３つの回路基板の第３の回路基板が前記第１および第２の回路基板に対して略水平な垂直関係に配置されている、請求項２に記載のモジュラ型通信用ジャック。
【請求項４】
前記第３の回路基板が前記第１および第２の回路基板を電気的に接続する、請求項３に記載のモジュラ型通信用ジャック。
【請求項５】
前記第３の回路基板が前記第１および第２の回路基板を構造的に支える、請求項３に記載のモジュラ型通信用ジャック。
【請求項６】
前記回路基板が共通の柔軟な基板上に各々形成された、請求項１に記載のモジュラ型通信用ジャック。
【請求項７】
シリアル・トゥ・イーサネット（登録商標）変換用ジャックであって、
ａ．オープンキャビティと内部チャンバとを含むハウジングであって、該オープンキャビティと該内部チャンバとは隔離されている、ハウジングと、
ｂ．該オープンキャビティ内に配置されている複数の電気的コンタクトを有する接続ポートと、
ｃ．該接続ポートの該電気的コンタクトと電気的な通信が可能である該内部チャンバ内に配置されている少なくとも１つの回路基板と
を備え、
該少なくとも１つの回路基板は、シリアル・トゥ・イーサネット（登録商標）データ変換を実行するコントローラブロックを有し、該変換用ジャックは、回路基板または別の電子部品に電気的接続が可能であるモジュラ型部品である、シリアル・トゥ・イーサネット（登録商標）変換用ジャック。
【請求項８】
前記少なくとも１つの回路基板が第１および第２の側部を有し、前記回路が該少なくとも１つの回路基板の第１および第２の側部の双方に配置されている、請求項７に記載のシリアル・トゥ・イーサネット（登録商標）変換用ジャック。
【請求項９】
前記回路基板が磁気回路と、コントローラ回路と、ＬＥＤ回路とをさらに備えた請求項７に記載のシリアル・トゥ・イーサネット（登録商標）変換用ジャック。
【請求項１０】
通常の電気的な通信が可能なように、かつ、前記内部チャンバ内に離間した関係で配置されている少なくとも３つの前記回路基板をさらに備え、該回路基板が前記接続ポートの前記電気的コンタクトと電気的な通信が可能である、請求項９に記載のシリアル・トゥ・イーサネット（登録商標）変換用ジャック。
【請求項１１】
少なくとも１つのＬＥＤをさらに備え、前記少なくとも３つの回路基板の第１の回路基板は、前記磁気回路を含み、該少なくとも３つの回路基板の第２の回路基板は前記コントローラ回路を含み、該少なくとも３つの回路基板の第３の回路基板は該少なくとも１つのＬＥＤを該コントローラ回路に接続する、請求項１０に記載のシリアル・トゥ・イーサネット（登録商標）変換用ジャック。
【請求項１２】
前記第２の回路基板は第１および第２の側部を有し、前記コントローラ回路が該第２の回路基板の第１および第２の側部の双方に配置されている、請求項１１に記載のシリアル・トゥ・イーサネット（登録商標）変換用ジャック。
【請求項１３】
前記ハウジングが標準ＲＪ−４５ジャックの高さおよび幅に実質的に等しい高さおよび幅を有する、請求項７に記載のシリアル・トゥ・イーサネット（登録商標）変換用ジャック。
【請求項１４】
組み込み型の通信用ジャックを形成する方法であって、
ａ．オープンキャビティと、該オープンキャビティから隔離された内部チャンバとを有するハウジングを提供するステップであって、該ハウジングが標準ＲＪ−４５ジャックの高さおよび幅に実質的に等しい高さおよび幅を有する、ステップと、
ｂ．該オープンキャビティ内に電気的コンタクトのアレイを配置して標準ＲＪ−４５接続ポートを形成するステップと、
ｃ．該内部チャンバ内に少なくとも２つの回路基板を配置するステップであって、前記回路基板の少なくとも１つがイーサネット（登録商標）データをシリアルデータに変換するように構成されているコントローラを有する、ステップと、
ｄ．該回路基板を該接続ポートの前記電気的コンタクトと電気的に相互に接続するステップと
を包含する、方法。
【請求項１５】
前記少なくとも２つの回路基板の第１および第２の回路基板を略平行な関係に配置するステップをさらに包含する、請求項１４に記載の通信用ジャックを形成する方法。
【請求項１６】
前記少なくとも２つの回路基板の第３の回路基板を前記第１および第２の回路基板に対して略垂直な関係に配置して該第１および第２の回路基板を電気的に接続するステップをさらに包含する、請求項１５に記載の通信用ジャックを形成する方法。
【請求項１７】
前記少なくとも２つの回路基板の第３の回路基板を前記第１と第２の回路基板に対して略垂直な関係に配置して前記第１および第２の回路基板を構造的に支持するステップをさらに包含する、請求項１５に記載の通信用ジャックを形成する方法。
【請求項１８】
共通の柔軟な基板上に前記回路基板を形成するステップをさらに包含する、請求項１４に記載の通信用ジャックを形成する方法。
【請求項１９】
組み込み型のシリアル・トゥ・イーサネット（登録商標）変換用ジャックを形成する方法であって、
ａ．オープンキャビティと、該オープンキャビティから隔離された内部チャンバとを有するハウジングを提供するステップであって、該ハウジングが標準ＲＪ−４５ジャックの高さおよび幅に実質的に等しい高さおよび幅を有する、ステップと、
ｂ．該オープンキャビティ内に電気的コンタクトのアレイを配置して標準ＲＪ−４５接続ポートを形成するステップと、
ｃ．該内部チャンバ内に少なくとも２つの回路基板を配置するステップであって、該少なくとも１つの回路基板がシリアル・トゥ・イーサネット（登録商標）データ変換を実行するコントローラブロックを有する、ステップと、
ｄ．該回路基板を該接続ポートの該電気的コンタクトと電気的に相互に接続するステップと
を包含する、方法。
【請求項２０】
プラグを有するケーブルに電子部品を接続し、イーサネット（登録商標）データを運搬するための通信モジュールであって、
該ケーブルのプラグを受け取るポートと、
該電子部品に接続し、シリアルデータを運搬するインターフェースと、
該ポートおよび該インターフェースと通信可能である回路と
を備え、
該回路は、該ポートにおいて受信されたイーサネット（登録商標）データデータをシリアルデータに変換するコントローラを備える、通信モジュール。
【請求項２１】
前記通信モジュールはＲＪ−４５ジャックである、請求項２０に記載の通信モジュール。
【請求項２２】
前記ポートは、ＲＪ−４５プラグを受け取るように構成されている、請求項２０に記載の通信モジュール。
【請求項２３】
オープンキャビティと内部チャンバとを有するハウジングをさらに備え、
該オープンキャビティと内部チャンバとは隔離されており、
該ポートが該オープンキャビティに配置されており、
該回路が該内部チャンバに配置されている、請求項２０に記載の通信モジュール。
【請求項２４】
前記ハウジングが標準ＲＪ−４５ジャックの高さおよび幅に実質的に等しい高さおよび幅を有する、請求項２３に記載の通信モジュール。
【請求項２５】
前記コントローラはまた前記インターフェースで受信されたシリアルデータをイーサネット（登録商標）データに変換する、請求項２０に記載の通信モジュール。
【請求項２６】
前記回路は前記コントローラに接続されているフラッシュメモリを備えており、該フラッシュメモリは、イーサネット（登録商標）データをシリアルデータに変換する該コントローラによって用いられるソフトウェアを格納する、請求項２０に記載の通信モジュール。
【請求項２７】
前記回路は、前記インターフェースと前記コントローラとに接続されている監視回路をさらに備え、該監視回路は、前記電子部品からの電源電圧を監視する、請求項２６に記載の通信モジュール。
【請求項２８】
前記回路は、前記インターフェースと該コントローラとに接続されているパワーフィルタをさらに備え、該パワーフィルタは前記電源電圧からのノイズを除去する、請求項２７に記載の通信モジュール。
【請求項２９】
前記回路は電源をさらに備え、該電源は、第２の電源電圧を前記コントローラに供給する、請求項２８に記載の通信モジュール。
【請求項３０】
前記インターフェースは複数の入力／出力（Ｉ／Ｏ）ピンを備えた、請求項２０に記載の通信モジュール。
【請求項３１】
前記複数のＩ／Ｏピンは、前記電子部品と前記コンとロータとの間でシリアルデータを送信するピンを含む、請求項３０の通信モジュール。
【請求項３２】
前記複数のＩ／Ｏピンは、前記コントローラのフロー制御ラインとハンドシェイクラインとのためのピンを含む、請求項３０に記載の通信モジュール。
【請求項３３】
前記複数のＩ／Ｏピンは、前記コントローラに前記電子部品との通信を有効にするプログラム可能なＩ／Ｏ（ＰＩＯ）ピンを含む、請求項３０に記載の通信モジュール。
【請求項３４】
前記回路は、前記コントローラと前記ポートとの間に接続されている磁気回路をさらに備えた、請求項２６に記載の通信モジュール。
【請求項３５】
前記回路に接続されている少なくとも１つの発光ダイオード（ＬＥＤ）をさらに備えた、請求項２０に記載の通信モジュール。
【請求項３６】
前記電子部品はプリント回路基板（ＰＣＢ）であり、前記インターフェースは該ＰＣＢに接続する複数のＩ／Ｏピンを備えた、請求項２０に記載の通信モジュール。
【請求項３７】
ファラデーシールドと、
該ファラデーシールドを前記ＰＣＢに接続するアース用タブとをさらに備えた、請求項３６に記載の通信モジュール。
【請求項３８】
前記ポートが配置されているオープンキャビティと、該オープンキャビティと隔離されている内部チャンバとを含むハウジングと、
該内部チャンバに配置されているプリント回路基板（ＰＣＢ）とをさらに備え、該回路は該ＰＣＢ上に配置されている、請求項２０に記載の通信モジュール。
【請求項３９】
プラグを有し、イーサネット（登録商標）データを運搬するケーブルに電子部品を接続する通信モジュールと該電子部品との組み合わせであって、
イーサネット（登録商標）データをシリアルデータに変換することが可能でない電子部品と、
該ケーブルのプラグを受け取るポートと、
該電子部品に接続されているインターフェースであって、シリアルデータを運搬するインターフェースとを備えた、通信モジュールと、
該ポートおよび該インターフェースと通信可能である回路と
を含み、
該回路は該ポートで受信されたイーサネット（登録商標）データをシリアルデータに変換し、該シリアルデータを該インターフェースに提供するコントローラを備えた、組み合わせ。
【請求項４０】
前記電子部品はプリント回路基板（ＰＣＢ）である、請求項３９に記載の組み合わせ。
【請求項４１】
前記通信モジュールは標準ＲＪ−４５ジャックと実質的に同じ大きさを有するハウジングを備えた、請求項３９に記載組み合わせ。
【請求項４２】
イーサネット（登録商標）データをシリアルデータに変換できない電子部品を、プラグを有するイーサネット（登録商標）ケーブルに接続することを有効にする通信モジュールを形成する方法であって、
ハウジングを提供することであって、該ハウジングは該ケーブルのプラグを受け取るポートと、該電子部品に接続し、シリアルデータを運送する、ことと、
回路を提供することであって、該回路はイーサネット（登録商標）データをシリアルデータに変換するように構成されているコントローラを備える、ことと、
該回路を該ポートと該インターフェースとに接続することと
を包含する、方法。
【請求項４３】
イーサネット（登録商標）データをシリアルデータに変換できない電子部品を、プラグを有するイーサネット（登録商標）ケーブルに接続することを有効にする方法であって、
通信モジュールを提供することであって、該通信モジュールは該ケーブルのプラグを受け取るポートと、シリアルデータを運搬するインターフェースと、該ポートおよび該インターフェースと通信可能な回路であって、該ポートで受信されたイーサネット（登録商標）データをシリアルデータに変換し、該シリアルデータを該インターフェースに提供するように構成されている、回路とを含むことと、
該インターフェースを該電子部品に接続することと
を包含する、方法。
【請求項４４】
プラグを有するイーサネット（登録商標）ケーブルに電子部品を接続する方法であって、
組み合わせを提供することであって、該組み合わせはイーサネット（登録商標）データをシリアルデータに変換できない電子部品と、通信モジュールとを含み、該通信モジュールは該ケーブルのプラグを受け取るポートと、該電子部品に接続されているインターフェースであって、シリアルデータを運搬するインターフェースと、該ポートおよび該インターフェースと通信可能な回路であって、該回路は該ポートで受信されたイーサネット（登録商標）データをシリアルデータに変換し、該シリアルデータを該インターフェースに提供するコントローラを備える、ことと、
該ケーブルのプラグを該ポートに接続することと
を包含する、方法。